(57)【要約】【課題】マイクロホンの収音部（特には、狭指向性マイクロホンの音響管）に対しての着脱性に優れ、かつ、保形性のよいウインドウスクリーンを提供する。【解決手段】マイクロホンの音響管（収音部）１０が差し込まれる挿通孔２１が穿設されている発泡ウレタン材などの連続気泡の弾性体からなり、マイクロホンの音響管１０に対して着脱自在に取り付けられるウインドウスクリーン２０Ａにおいて、挿通孔２１の内周面に、ウインドウスクリーンを形成している弾性体よりも摩擦係数が低く収音部１０を挿通する際のすべり案内部材３０を挿通孔２１の軸線方向に沿って設ける。【選択図】図１
2008187312.tif 000002
【特許請求の範囲】
【請求項１】
マイクロホンの収音部が差し込まれる挿通孔が穿設されている連続気泡の弾性体からなり、上記マイクロホンの収音部に対して着脱自在に取り付けられるウインドウスクリーンにおいて、
上記挿通孔の内周面に、上記弾性体よりも摩擦係数が低く上記収音部を挿通する際のすべり案内部材が上記挿通孔の軸線方向に沿って設けられていることを特徴とするウインドウスクリーン。
【請求項２】
上記すべり案内部材が、多孔のメッシュシートを丸めた円筒体に形成されていることを特徴とする請求項１に記載のウインドウスクリーン。
【請求項３】
上記すべり案内部材の全長が上記挿通孔の軸長よりも短く、上記挿通孔の上記収音部が差し込まれる側の入口端部には、上記弾性体が上記収音部に対してじかに接触する上記すべり案内部材よりも高摩擦係数の抜け止め手段が設けられていることを特徴とする請求項１または２に記載のウインドウスクリーン。
【請求項４】
上記請求項１ないし３のいずれか１項に記載のウインドウスクリーンがマイクロホンの収音部に被せられていることを特徴とする狭指向性マイクロホン。
【発明の詳細な説明】
【技術分野】
【０００１】
マイクロホンが風雑音を拾わないようにマイクロホンの収音部に着脱自在に取り付けられるウインドウスクリーンに関し、さらに詳しく言えば、着脱性および保形性が良好なウインドウスクリーンに関する。
【背景技術】
【０００２】
例えば、マイクロホンを屋外で使用する場合、風雑音を拾わないようにするため、マイクロホンの収音部（マイクユニット部）にウインドウスクリーン（風防）を取り付けるようにしている。
【０００３】
この種のウインドウスクリーンの多くは、発泡ウレタン材などの発泡樹脂（連続気泡性）により円筒状に形成されており、その筒内にマイクロホンの収音部を差し込まむことにより、マイクロホンの収音部に装着される（例えば、特許文献１参照）。
【０００４】
ところで、各種あるマイクロホンのうち、図２に示すように、例えば業務用ビデオカメラなどに用いられる狭指向性マイクロホンＭは、長尺の音響管１０を備えているため、狭指向性マイクロホン用のウインドウスクリーン２０も、それに合わせて長尺に形成されている。
【０００５】
そもそも、ウインドウスクリーンは、上記したように発泡ウレタン材などの発泡樹脂よりなるためすべりにくいが、狭指向性マイクロホン用のウインドウスクリーン２０は長尺であるため、その挿通孔２１内に音響管１０を差し込むのに時間がかかる、という問題がある。
【０００６】
特に、音響管１０の側面に、図２に示されているような多数のスリット１１が形成されている場合、その分、摩擦抵抗が増えるため、ウインドウスクリーン２０の取り付けが一層困難なものとなる。
【０００７】
また、別の問題として、素材がウレタン材であるため、加水分解などにより経時劣化しやすく、極端な場合にはボロボロになってしまうことから、長期間にわたって保存するときには、マイクロホンから取り外しておくことが好ましい。
【０００８】
しかしながら、その保管時に外力が加わえられると変形してしまい、使用時に容易に元の形状に復帰しにくい。最悪、挿通孔２１が潰された状態で長期間にわたって保管されると、音響管１０に取り付けることができなくなることもある。
【０００９】
【特許文献１】特開２０００−２１７１７７号公報
【発明の開示】
【発明が解決しようとする課題】
【００１０】
そこで、本発明の課題は、マイクロホンの収音部（特には、狭指向性マイクロホンの音響管）に対しての着脱性に優れ、かつ、保形性のよいウインドウスクリーンを提供することにある。
【課題を解決するための手段】
【００１１】
上記課題を解決するため、本発明は、請求項１に記載されているように、マイクロホンの収音部が差し込まれる挿通孔が穿設されている連続気泡の弾性体からなり、上記マイクロホンの収音部に対して着脱自在に取り付けられるウインドウスクリーンにおいて、上記挿通孔の内周面に、上記弾性体よりも摩擦係数が低く上記収音部を挿通する際のすべり案内部材が上記挿通孔の軸線方向に沿って設けられていることを特徴としている。
【００１２】
本発明において、請求項２に記載されているように、上記すべり案内部材が、多孔のメッシュシートを丸めた円筒体に形成されていることが好ましい。
【００１３】
また、請求項３に記載されているように、上記すべり案内部材の全長が上記挿通孔の軸長よりも短く、上記挿通孔の上記収音部が差し込まれる側の入口端部には、上記弾性体が上記収音部に対してじかに接触する上記すべり案内部材よりも高摩擦係数の抜け止め手段が設けられていることが好ましい。
【００１４】
また、本発明には、請求項４に記載されているように、上記請求項１ないし３のいずれか１項に記載のウインドウスクリーンがマイクロホンの収音部に被せられている狭指向性マイクロホンも含まれる。
【発明の効果】
【００１５】
本発明によれば、ウインドウスクリーンの挿通孔の内周面に、ウインドウスクリーンを形成している連続気泡の弾性体よりも摩擦係数が低いすべり案内部材が設けられていることにより、例えば狭指向性マイクロホン用途の長尺なウインドウスクリーンであっても簡単にマイクロホンの収音部に着脱することができる。
【００１６】
また、すべり案内部材に多孔のメッシュシートを丸めた円筒体を用いることにより、マイクロホンから外しての保管時における変形を防止することができる。
【００１７】
また、挿通孔の収音部が差し込まれる側の入口端部に、ウインドウスクリーンを形成している連続気泡の弾性体がマイクロホンの収音部に対してじかに接触する高摩擦係数の抜け止め手段を設けることにより、収音部からのウインドウスクリーンの不意な脱落を防止できる。
【発明を実施するための最良の形態】
【００１８】
次に、本発明の実施形態について、図１を参照しながら説明する。この実施形態に係るウインドウスクリーンは狭指向性マイクロホン用途のもので、図１には同ウインドウスクリーンが断面として狭指向性マイクロホンとともに示されている。なお、先の図２で説明した従来例と同一もしくは同一と見なされてよい構成要素には同じ参照符号が用いられている。
【００１９】
このウインドウスクリーン２０Ａは、発泡ウレタン材などの連続気泡を有する発泡体樹脂の成型品からなり、ガンマイクロホンとも呼ばれる狭指向性マイクロホンＭの長尺な音響管（収音部）１０に沿って取り付けられる円筒状に形成されている。
【００２０】
ウインドウスクリーン２０Ａは、少なくとも音響管１０の前方音響端子１０ａから音響管１０の側面に形成されているスリット（側方音波導入開口）１１の部分までを覆うように音響管１０に取り付けられるが、その表面に風雑音対策としてより効果的な植毛処理などを施してもよい。
【００２１】
ウインドウスクリーン２０は前方音響端子１０ａ側が塞がれている有底円筒体で、内部に音響管１０が挿通される挿通孔２１を備えている。挿通孔２１は、音響管１０の外径とほぼ同径もしくは若干小径であってよい。
【００２２】
挿通孔２１内には、音響管１０を挿通しやすくするため、ウインドウスクリーン２０の材質（例えば、発泡ウレタン材）よりも摩擦係数が低い素材からなるすべり案内部材３０が設けられている。
【００２３】
すべり案内部材３０として、例えば挿通孔２１とほぼ同じ長さを有する低摩擦材からなる所定幅の帯板（好ましくは多孔板）の複数枚を挿通孔２１の軸線方向に延びるように挿通孔２１の内周面に等間隔に添設してもよいが、多孔の円筒状として挿通孔２１内に配置することが好ましい。
【００２４】
すなわち、適度な折り曲げ弾性を有する低摩擦材からなるメッシュシート（多孔板でもよい）を円筒状に丸めて挿通孔２１内に配置してすべり案内部材３０とする。
【００２５】
これには、一例として、メッシュシートを例えば挿通孔２１の内周長とほぼ同一となる幅に切断したのち、そのメッシュシートを金属棒などの芯金に挿通孔２１の内径よりも小径となるように巻き付けて挿通孔２１内に入れたのち、巻き付けを解放しメッシュシートを自己の弾性復元力にて拡径させて挿通孔２１内に密着させればよい。
【００２６】
このとき、メッシュシートの弾性復元力が大きい場合には、それによって挿通孔２１の内径が若干押し広げられるため、メッシュシート（すべり案内部材３０）は、より強固に挿通孔２１内に密着する。
【００２７】
このようにして、円筒状のすべり案内部材３０を挿通孔２１内に容易に配置することができるが、拡径された状態ですべり案内部材３０は断面Ｃ字状を呈してもよい。なお、すべり案内部材３０に好適なメッシュシートには、例えばＮＢＣ工業社製のポリエステル強力網ＴＢ１５（商品名）がある。
【００２８】
すべり案内部材３０は、挿通孔２１の全長にわたって配置されてもよいが、すべり案内部材３０を挿通孔２１内により確実に保持させるには、音響管１０が差し込まれる側の入口端部２１ａを除いて、挿通孔２１の内周面に挿入孔２１の内径よりも若干大径な凹部２２を形成して、凹部２２内にすべり案内部材３０を配置するとよい。
【００２９】
この場合、挿通孔２１の入口端部２１ａ側に凹部２２が形成されていない発泡ウレタン材などよりなる高摩擦の筒状部分２１ｂが残され、この筒状部分２１が音響管１０に対してじかに接触するするため、筒状部分２１が音響管１０の抜け止め手段として作用することになる。
【００３０】
上記した構成によれば、ウインドスクリーン２０Ａの挿通孔２１内に低摩擦のすべり案内部材３０が設けられているため、長尺な音響管１０に対しても容易に装着することができる。
【００３１】
また、すべり案内部材３０が円筒状である場合、すべり案内部材３０が挿通孔２１の内周面を補強するスリーブ部材としても機能するため、保管時におけるウインドスクリーン２０Ａの変形が防止される。
【００３２】
なお、上記実施形態の好ましい態様では、案内部材３０にメッシュシートを丸めて円筒状としたものを用いているが、例えば硬質合成樹脂などにより音響管（収音部）の外径と同径に一体成型された多孔の円筒パイプを用いてもよい。
【図面の簡単な説明】
【００３３】
【図１】本発明の一実施形態に係るウインドスクリーンを狭指向性マイクロホンとともに示す断面図。
【図２】従来のウインドスクリーンを狭指向性マイクロホンとともに示す断面図。
【符号の説明】
【００３４】
１０  音響管
１１  スリット（側方音波導入開口）
２０Ａ  ウインドスクリーン
２１  挿通孔
２１ａ  入口端部
２１ｂ  高摩擦の筒状部分
２２  凹部
３０  すべり案内部材
Ｍ  マイクロホン
【図１】
2008187312.tif 000003
【図２】
2008187312.tif 000004